(57)【要約】【課題】本発明は、ハーネスの断線防止の向上を図ることができる遊技機を提供することを目的とする。【解決手段】遊技機１００は、内枠１０４に対して回転可能な扉１０６に取り付けられる取付部４０１、取付部４０１に回転可能に設けられ内枠１０４と対峙可能となる可動部４０３、および扉１０６の回転動作に応じて折り曲げ可能に可動部４０３を取付部４０１に軸支する折曲部４０２を有する折畳部材４０と、扉１０６に接続される一端、内枠１０４に接続される他端、および当該一端と当該他端との間に設けられ取付部４０１および可動部４０３に固定されて折曲部４０２の折り曲げ動作に応じて撓みの大きさが拡縮される撓み部５０１を有するハーネス５０とを備えている。【選択図】図４
2018042731.tif 000002
【特許請求の範囲】
【請求項１】
枠部材に対して回転可能な扉に取り付けられる取付部、前記取付部に回転可能に設けられ前記枠部材と対峙可能となる可動部、および前記扉の回転動作に応じて折り曲げ可能に前記可動部を前記取付部に軸支する折曲部を有する折畳部材と、
前記扉に接続される一端、前記枠部材に接続される他端、および前記一端と前記他端との間に設けられ前記取付部および前記可動部に固定されて前記折曲部の折り曲げ動作に応じて撓みの大きさが拡縮される撓み部を有するハーネスと
を備えることを特徴とする遊技機。
【請求項２】
前記可動部は、前記取付部に軸支されている軸支側の端部とは反対側の端部が前記枠部材と対峙可能となるように、前記軸支側の端部と前記反対側の端部との間の一部の領域が前記折曲部の折り曲げ方向に向かって屈曲していること
を特徴とする請求項１記載の遊技機。
【発明の詳細な説明】
【技術分野】
【０００１】
本発明は、弾球遊技機（パチンコ機）に代表される遊技機に関する。
【背景技術】
【０００２】
従来の遊技機の扉に設けられた回路基板と、この扉が取り付けられる枠部材に設けられた回路基板との間を接続するハーネスが知られている（例えば、特許文献１から３）。さらに、特許文献１および３には、このようなハーネスを保護する保護部材が開示されている。
【先行技術文献】
【特許文献】
【０００３】
【特許文献１】特開２０１６−７３８４３号公報
【特許文献２】特開２０１６−９３６６７号公報
【特許文献３】特開２０１４−１３２９２４号公報
【発明の概要】
【発明が解決しようとする課題】
【０００４】
従来の遊技機は、扉の開閉動作の際にハーネスが断線する場合があるという問題を有している。
【０００５】
本発明の目的は、ハーネスの断線防止の向上を図ることができる遊技機を提供することにある。
【課題を解決するための手段】
【０００６】
上記目的を達成するために、本発明の一態様による遊技機は、枠部材に対して回転可能な扉に取り付けられる取付部、前記取付部に回転可能に設けられ前記枠部材と対峙可能となる可動部、および前記扉の回転動作に応じて折り曲げ可能に前記可動部を前記取付部に軸支する折曲部を有する折畳部材と、前記扉に接続される一端、前記枠部材に接続される他端、および前記一端と前記他端との間に設けられ前記取付部および前記可動部に固定されて前記折曲部の折り曲げ動作に応じて撓みの大きさが拡縮される撓み部を有するハーネスとを備えることを特徴とする。
【０００７】
前記可動部は、前記取付部に軸支されている軸支側の端部とは反対側の端部が前記枠部材と対峙可能となるように、前記軸支側の端部と前記反対側の端部との間の一部の領域が前記折曲部の折り曲げ方向に向かって屈曲していてもよい。
【発明の効果】
【０００８】
本発明の一態様によれば、ハーネスの断線防止の向上を図ることができる。
【図面の簡単な説明】
【０００９】
【図１】本発明の一実施形態による遊技機１００の斜視図である。
【図２】本発明の一実施形態による遊技機１００の正面図である。
【図３】本発明の一実施形態による遊技機１００のブロック図である。
【図４】本発明の一実施形態による遊技機１００に備えられたハーネスユニット１の概略構成を説明する図であって、扉１０６を開いた状態を示す図である。
【図５】本発明の一実施形態による遊技機１００に備えられたハーネスユニット１の概略構成を説明する図である。
【図６】本発明の一実施形態による遊技機１００に備えられた折畳部材４０の取付部４０１の概略構成を示す図である。
【図７】本発明の一実施形態による遊技機１００に備えられた折畳部材４０の可動部４０３の概略構成を示す図である。
【図８】本発明の一実施形態による遊技機１００に備えられた折畳部材４０が開いた状態を示す図である。
【図９】本発明の一実施形態による遊技機１００に備えられた折畳部材４０が折り畳まれた状態を示す図である。
【発明を実施するための形態】
【００１０】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１１】
まず、本発明の実施形態の理解を容易にするため、遊技機の機械的全体構成および電気的構成を簡単に説明する。
【００１２】
図１には、本実施形態の遊技機１００であって、扉１０６が開放された状態の遊技機１００の斜視図が示されている。図示のように、遊技機１００は、略矩形状に組まれた四辺によって囲繞空間が形成される外枠１０２と、外枠１０２にヒンジ機構によって開閉自在に取り付けられた内枠１０４と、内枠１０４に、ヒンジ機構によって開閉自在に取り付けられた扉１０６と、を備えている。
【００１３】
内枠１０４は、外枠１０２と同様に、略矩形状に組まれた四辺によって囲繞空間が形成されており、この囲繞空間に遊技盤１０８が保持されている。詳細は後述するが、扉１０６と内枠１０４との間には、折畳部材４０とハーネス５０とをユニット化して構成されたハーネスユニット１が設けられている。ハーネス５０は、ワイヤーハーネスまたはケーブルハーネスと呼ばれる、電源供給や信号通信に用いられる複数の電線を束にして集合部品としたハーネスである。また、扉１０６には、ガラス製または樹脂製の透過板１１０が保持されている。そして、これら内枠１０４および扉１０６を外枠１０２に対して閉じると、遊技盤１０８と透過板１１０とが所定の間隔を維持して略平行に対面するとともに、遊技機１００の正面側から、透過板１１０を介して遊技盤１０８が視認可能となる。
【００１４】
図２は、遊技機１００の正面図である。この図に示すように、扉１０６の下部には、遊技機１００の正面側に突出する操作ハンドル１１２が設けられている。操作ハンドル１１２は、遊技者が回転操作可能に設けられており、遊技者が操作ハンドル１１２を回転させて発射操作を行うと、当該操作ハンドル１１２の回転角度に応じた強度で、不図示の発射機構によって遊技球が発射される。このようにして発射された遊技球は、遊技盤１０８に設けられたレール１１４ａ、１１４ｂ間を上昇して遊技領域１１６に導かれることとなる。
【００１５】
遊技領域１１６は、遊技盤１０８と透過板１１０との間隔に形成される空間であって、遊技球が流下または転動可能な領域である。遊技盤１０８には、多数の遊技釘や風車が設けられており、遊技領域１１６に導かれた遊技球が遊技釘や風車に衝突して、不規則な方向に流下、転動するようにしている。
【００１６】
遊技領域１１６は、発射機構の発射強度に応じて遊技球の進入度合いを互いに異にする第１遊技領域１１６ａおよび第２遊技領域１１６ｂを備えている。第１遊技領域１１６ａは、遊技機１００に正対した遊技者から見て遊技領域１１６の左側に位置し、第２遊技領域１１６ｂは、遊技機１００に正対した遊技者から見て遊技領域１１６の右側に位置している。レール１１４ａ、１１４ｂが遊技領域１１６の左側にあることから、発射機構によって所定の強度未満の発射強度で発射された遊技球は第１遊技領域１１６ａに進入し、所定の強度以上の発射強度で発射された遊技球は第２遊技領域１１６ｂに進入することとなる。
【００１７】
また、遊技領域１１６には、遊技球が入球可能な一般入賞口１１８、第１始動口１２０、第２始動口１２２が設けられており、これら一般入賞口１１８、第１始動口１２０、第２始動口１２２に遊技球が入球すると、それぞれ所定の賞球が遊技者に払い出される。遊技球の入球に基づいて払い出される賞球数は、入賞口毎に異なっていてもよい。
【００１８】
なお、詳しくは後述するが、第１始動口１２０内には第１始動領域が設けられ、また、第２始動口１２２内には第２始動領域が設けられている。そして、第１始動口１２０または第２始動口１２２に遊技球が入球して第１始動領域または第２始動領域に遊技球が進入すると、予め設けられた複数の特別図柄の中からいずれか１の特別図柄を決定するための抽選が行われる。各特別図柄には、遊技者にとって有利な大役遊技の実行可否や、以後の遊技状態をどのような遊技状態にするかといった種々の遊技利益が対応付けられている。したがって、遊技者は、第１始動口１２０または第２始動口１２２に遊技球が入球すると、所定の賞球を獲得するのと同時に、種々の遊技利益を受ける権利獲得の機会を獲得することとなる。
【００１９】
また、第２始動口１２２には、可動片１２２ｂが開閉可能に設けられており、可動片１２２ｂの状態に応じて、第２始動口１２２への遊技球の進入容易性が変化するようになっている。具体的には、可動片１２２ｂが閉状態にあるときには、第２始動口１２２への遊技球の入球が不可能となっている。これに対して、遊技領域１１６に設けられたゲート１２４内の進入領域を遊技球が通過すると、後述する普通図柄の抽選が行われ、この抽選によって当たりに当選すると、可動片１２２ｂが所定時間、開状態に制御される。このように、可動片１２２ｂが開状態になると、当該可動片１２２ｂが遊技球を第２始動口１２２に導く受け皿として機能し、第２始動口１２２への遊技球の入球が容易となる。なお、ここでは、第２始動口１２２が閉状態にあるときに、当該第２始動口１２２への遊技球の入球が不可能であることとしたが、第２始動口１２２が閉状態にある場合にも一定の頻度で遊技球が入球可能となるように構成してもよい。
【００２０】
さらに、遊技領域１１６には、遊技球が入球可能な大入賞口１２８が設けられている。大入賞口１２８には、開閉扉１２８ｂが開閉可能に設けられており、通常、開閉扉１２８ｂが大入賞口１２８を閉鎖して、大入賞口１２８への遊技球の入球が不可能となっている。これに対して、前述の大役遊技が実行されると、開閉扉１２８ｂが開放されて、大入賞口１２８への遊技球の入球が可能となる。そして、大入賞口１２８に遊技球が入球すると、所定の賞球が遊技者に払い出される。複数の大入賞口が設けられている場合、遊技球の入球に基づいて払い出される賞球数は、大入賞口ごとに異なっていてもよい。
【００２１】
なお、遊技領域１１６の最下部には、一般入賞口１１８、第１始動口１２０、第２始動口１２２、大入賞口１２８のいずれにも入球しなかった遊技球を、遊技領域１１６から遊技盤１０８の背面側に排出する排出口１３０が設けられている。
【００２２】
そして、遊技盤１０８には、遊技の進行中等に演出を行う演出装置として、液晶表示装置からなる演出表示装置２００、可動装置からなる演出役物装置２０２（図２では不図示）、さまざまな点灯態様や発光色に制御されるランプからなる演出照明装置２０４、スピーカからなる音声出力装置２０６、遊技者の操作を受け付ける演出操作装置２０８が設けられている。
【００２３】
演出表示装置２００は、画像を表示する画像表示部からなる演出表示部２００ａを備えており、演出表示部２００ａを、遊技盤１０８の略中央部分において、遊技機１００の正面側から視認可能に配置している。演出表示部２００ａには、図示のように演出図柄２１０ａ、２１０ｂ、２１０ｃが変動表示され、これら各演出図柄２１０ａ、２１０ｂ、２１０ｃの停止表示態様によって大役抽選結果が遊技者に報知される変動演出が実行されることとなる。
【００２４】
演出役物装置２０２は、演出表示部２００ａよりも前面に配置され、通常、遊技盤１０８の背面側に退避しているが、上記の演出図柄２１０ａ、２１０ｂ、２１０ｃの変動表示中などに、演出表示部２００ａの前面まで可動して、遊技者に大当たりの期待感を付与するものである。
【００２５】
演出照明装置２０４は、演出役物装置２０２や遊技盤１０８等に設けられており、演出表示部２００ａに表示される画像等に合わせて、さまざまに点灯制御される。
【００２６】
音声出力装置２０６は、扉１０６の上部位置や外枠１０２の最下部位置に設けられ、演出表示部２００ａに表示される画像等に合わせて、遊技機１００の正面側に向けてさまざまな音声を出力する。
【００２７】
演出操作装置２０８は、遊技者の押下操作を受け付けるボタンで構成され、遊技機１００の幅方向略中央位置であって、かつ、透過板１１０よりも下方位置に設けられている。演出操作装置２０８は、演出表示部２００ａに表示される画像等に合わせて有効化されるものであり、操作有効時間内に遊技者の操作を受け付けると、当該操作に応じて、さまざまな演出が実行される。
【００２８】
演出操作装置２０８の後ろ側（遊技盤１０８側）には、遊技機１００から払い出される賞球や、遊技球貸出装置から貸し出される遊技球が導かれる上皿１３２が設けられており、上皿１３２が遊技球で一杯になると、遊技球は下皿１３４に導かれることとなる。また、下皿１３４の底面には、当該下皿１３４から遊技球を排出するための球抜き孔（不図示）が形成されている。この球抜き孔は、通常、開閉板（不図示）によって閉じられているが、球抜きつまみ１３４ａを図中左右方向にスライドさせることにより、当該球抜きつまみ１３４ａと一体となって開閉板がスライドし、球抜き孔から下皿１３４の下方に遊技球を排出することが可能となっている。
【００２９】
また、遊技盤１０８には、遊技領域１１６の外方であって、かつ、遊技者が視認可能な位置に、第１特別図柄表示器１６０、第２特別図柄表示器１６２、第１特別図柄保留表示器１６４、第２特別図柄保留表示器１６６、普通図柄表示器１６８、普通図柄保留表示器１７０、右打ち報知表示器１７２が設けられている。これら各表示器１６０〜１７２は、遊技に係る種々の状況を表示するための装置であるが、その詳細については後述する。
【００３０】
（制御手段の内部構成）
図３は、遊技の進行を制御する制御手段の内部構成を示すブロック図である。
【００３１】
主制御基板３００は遊技の基本動作を制御する。主制御基板３００は、メインＣＰＵ３００ａ、メインＲＯＭ３００ｂ、メインＲＡＭ３００ｃを備えている。メインＣＰＵ３００ａは、各検出スイッチやタイマからの入力信号に基づいて、メインＲＯＭ３００ｂに格納されたプログラムを読み出して演算処理を行うとともに、各装置や表示器を直接制御したり、あるいは演算処理の結果に応じて他の基板にコマンドを送信したりする。メインＲＡＭ３００ｃは、メインＣＰＵ３００ａの演算処理時におけるデータのワークエリアとして機能する。
【００３２】
上記主制御基板３００には、一般入賞口１１８に遊技球が入球したことを検出する一般入賞口検出スイッチ１１８ｓ、第１始動口１２０に遊技球が入球したことを検出する第１始動口検出スイッチ１２０ｓ、第２始動口１２２に遊技球が入球したことを検出する第２始動口検出スイッチ１２２ｓ、ゲート１２４を遊技球が通過したことを検出するゲート検出スイッチ１２４ｓ、大入賞口１２８に遊技球が入球したことを検出する大入賞口検出スイッチ１２８ｓが接続されており、これら各検出スイッチから主制御基板３００に検出信号が入力されるようになっている。
【００３３】
また、主制御基板３００には、第２始動口１２２の可動片１２２ｂを作動する普通電動役物ソレノイド１２２ｃと、大入賞口１２８を開閉する開閉扉１２８ｂを作動する大入賞口ソレノイド１２８ｃと、が接続されており、主制御基板３００によって、第２始動口１２２および大入賞口１２８の開閉制御がなされるようになっている。
【００３４】
さらに、主制御基板３００には、第１特別図柄表示器１６０、第２特別図柄表示器１６２、第１特別図柄保留表示器１６４、第２特別図柄保留表示器１６６、普通図柄表示器１６８、普通図柄保留表示器１７０、右打ち報知表示器１７２が接続されており、主制御基板３００によって、これら各表示器の表示制御がなされるようになっている。
【００３５】
また、本実施形態の遊技機１００が実行する遊技は、主に第１始動口１２０または第２始動口１２２への遊技球の入球によって開始される特別遊技と、ゲート１２４を遊技球が通過することによって開始される普通遊技とに大別される。そして、主制御基板３００のメインＲＯＭ３００ｂには、特別遊技および普通遊技を進行するための種々のプログラムや、各種の遊技に必要なデータ、テーブルが記憶されている。
【００３６】
また、主制御基板３００には、払出制御基板３１０および副制御基板３３０が接続されている。
【００３７】
払出制御基板３１０は、遊技球を発射させるための制御、および、賞球を払い出すための制御を行う。払出制御基板３１０も、ＣＰＵ、ＲＯＭ、ＲＡＭを備えており、主制御基板３００に対して双方向に通信可能に接続されている。払出制御基板３１０には遊技情報出力端子板３１２が接続されており、主制御基板３００から出力される遊技進行上の種々の情報が、払出制御基板３１０および遊技情報出力端子板３１２を介して、遊技店のホールコンピュータ等に出力されることとなる。
【００３８】
また、払出制御基板３１０には、貯留部に貯留された遊技球を賞球として遊技者に払い出すための払出モータ３１４が接続されている。払出制御基板３１０は、主制御基板３００から送信された払出個数指定コマンドに基づいて払出モータ３１４を制御して所定の賞球を遊技者に払い出すように制御する。このとき、払い出された遊技球数が払出球計数スイッチ３１６ｓによって検出され、払い出すべき賞球が遊技者に払い出されたかが把握されるようになっている。
【００３９】
また、払出制御基板３１０には、下皿１３４の満タン状態を検出する皿満タン検出スイッチ３１８ｓが接続されている。皿満タン検出スイッチ３１８ｓは、賞球として払い出される遊技球を下皿１３４に導く通路に設けられており、当該通路を遊技球が通過するたびに、遊技球検出信号が払出制御基板３１０に入力されるようになっている。
【００４０】
そして、下皿１３４に所定量以上の遊技球が貯留されて満タン状態になると、下皿１３４に向かう通路内に遊技球が滞留し、皿満タン検出スイッチ３１８ｓから払出制御基板３１０に向けて、遊技球検出信号が連続的に入力される。払出制御基板３１０は、遊技球検出信号が所定時間連続して入力された場合に、下皿１３４が満タン状態であると判断し、皿満タンコマンドを主制御基板３００に送信する。一方、皿満タンコマンドを送信した後、遊技球検出信号の連続入力が途絶えた場合には、満タン状態が解除されたと判断し、皿満タン解除コマンドを主制御基板３００に送信する。
【００４１】
また、払出制御基板３１０には、発射制御基板３２０が双方向に通信可能に接続されている。発射制御基板３２０は、払出制御基板３１０から発射制御データを受信すると発射の許可を行う。発射制御基板３２０には、操作ハンドル１１２に設けられ、当該操作ハンドル１１２に遊技者が触れたことを検出するタッチセンサ１１２ｓと、操作ハンドル１１２の操作角度を検出する操作ボリューム１１２ａと、が接続されている。そして、タッチセンサ１１２ｓおよび操作ボリューム１１２ａから信号が入力されると、発射制御基板３２０において、遊技球発射装置に設けられた発射用ソレノイド１１２ｃを通電して遊技球を発射させる制御がなされる。
【００４２】
副制御基板３３０は、主に遊技中や待機中等の各演出を制御する。副制御基板３３０は、サブＣＰＵ３３０ａ、サブＲＯＭ３３０ｂ、サブＲＡＭ３３０ｃを備えており、主制御基板３００に対して、当該主制御基板３００から副制御基板３３０への一方向に通信可能に接続されている。サブＣＰＵ３３０ａは、主制御基板３００から送信されたコマンドやタイマからの入力信号等に基づいて、サブＲＯＭ３３０ｂに格納されたプログラムを読み出して演算処理を行うとともに、演出を実行するためのコマンドを、画像制御基板３４０または電飾制御基板３５０に送信する。このとき、サブＲＡＭ３３０ｃは、サブＣＰＵ３３０ａの演算処理時におけるデータのワークエリアとして機能する。
【００４３】
画像制御基板３４０は、上記演出表示部２００ａに画像を表示させる画像表示制御を行うものであり、ＣＰＵ、ＣＧＲＯＭ、ＲＡＭ、ＶＲＡＭを備えている。画像制御基板３４０のＣＧＲＯＭには、演出表示部２００ａに表示される図柄や背景等の画像データが多数格納されている。画像制御基板３４０に備えられたＣＰＵは、副制御基板３３０から送信されたコマンドに基づいて画像データをＣＧＲＯＭからＶＲＡＭに読み出して、演出表示部２００ａの画像表示を制御する。
【００４４】
電飾制御基板３５０は、副制御基板３３０から送信されたコマンドに基づいて、音声出力装置２０６から音声を出力させる音声出力制御を行う。また、電飾制御基板３５０は、副制御基板３３０から送信されるコマンドに基づいて、演出役物装置２０２を可動したり演出照明装置２０４を点灯制御したりする。さらには、演出操作装置２０８が押下操作されたことを検出する演出操作装置検出スイッチ２０８ｓから操作検出信号が入力された際に、所定のコマンドを副制御基板３３０に送信する。
【００４５】
なお、各基板には、不図示の電源基板が接続されており、電源基板を介して商用電源から各基板に電力供給がなされている。また、電源基板にはコンデンサからなるバックアップ電源が設けられている。
【００４６】
（ハーネスユニットの全体構成）
次に、遊技機１００に備えられたハーネスユニット１の構成について図４から図９を用いて説明する。まず、ハーネスユニット１の全体構成について図４および図５を用いて説明する。
【００４７】
図４に示すように、遊技機１００は、内枠（枠部材の一例）１０４に対して回転可能な扉１０６に取り付けられる取付部４０１と、取付部４０１に回転可能に設けられ内枠１０４と対峙可能となる可動部４０３と、扉１０６の回転動作に応じて折り曲げ可能に可動部４０３を取付部４０１に軸支する折曲部４０２とを有する折畳部材４０を備えている。また、遊技機１００は、扉１０６に接続される一端と、内枠１０４に接続される他端と、当該一端と当該他端との間に設けられ取付部４０１および可動部４０３に固定されて折曲部４０２の折り曲げ動作に応じて撓みの大きさが拡縮される撓み部５０１とを有するハーネス５０を備えている。ハーネス５０は、内枠１０４と扉１０６との間に設けられている。折畳部材４０およびハーネス５０は、ユニット化されてハーネスユニット１を構成している。
【００４８】
ハーネス５０は、電飾制御基板３５０とガラス枠中継基板３６０との間を接続している。より具体的には、ハーネス５０は、蛇腹形状のフレキシブルスリットチューブ５１０で覆われたケーブルＣＢ１およびケーブルＣＢ２を有している。副制御基板３３０（図３参照）から出力される電気信号（所定コマンドなど）は、ガラス枠中継基板３６０で中継されて画像制御基板３４０（図３参照）および電飾制御基板３５０の少なくともいずれか一方に送信される。また、電飾制御基板３５０から出力される電気信号は、ガラス枠中継基板３６０で中継されて副制御基板３３０に送信される。
【００４９】
ケーブルＣＢ１の一端はガラス枠中継基板３６０に実装されたコネクタＣＮ１に接続され、ケーブルＣＢ１の他端は電飾制御基板３５０に実装されたコネクタＣＮ３に接続されている。ケーブルＣＢ２の一端はガラス枠中継基板３６０に実装されたコネクタＣＮ２に接続され、ケーブルＣＢ２の他端は電飾制御基板３５０に実装されたコネクタＣＮ４に接続されている。ガラス枠中継基板３６０は扉１０６に設けられている。このため、ガラス枠中継基板３６０に接続されるコネクタＣＮ１およびコネクタＣＮ２は、扉１０６に接続されるハーネス５０の一端の一例に相当する。また、電飾制御基板３５０は内枠１０４に設けられている。このため、電飾制御基板３５０に接続されるコネクタＣＮ３およびコネクタＣＮ４は、内枠１０４に接続されるハーネス５０の他端の一例に相当する。
【００５０】
折畳部材４０は、取付部４０１をねじＳ１およびねじＳ２によって扉１０６にねじ止めされて固定されている。取付部４０１は扉１０６に固定されているのに対し、可動部４０３は扉１０６に対して動くことができるようになっている。図４に示すように、取付部４０１は扉１０６に密着して固定されているが、可動部４０３は扉１０６および内枠１０４から浮いたような状態となっている。このため、可動部４０３は、ハーネス５０の重量によって破損しないように、取付部４０１よりも硬い材料で形成されている。可動部４０３は例えばポリカーボネートで形成され、取付部４０１は例えばポリアセタール（ＰＯＭ）で形成されている。
【００５１】
折畳部材４０は、取付部４０１に設けられた第一固定部４１０と、可動部４０３に設けられた第二固定部４３０とを折曲部４０２を挟んだ位置に有している。ハーネス５０は、結束バンド（紐状部材の一例）６１で第一固定部４１０に固定され、結束バンド６２で第二固定部４３０に固定されている。
【００５２】
扉１０６が開状態から閉状態に移行する過程において、まず可動部４０３が内枠１０４に押さえ付けられる。これにより、可動部４０３は内枠１０４と対峙した状態となる。この時、可動部４０３は、内枠１０４に接してそれ以上、内枠１０４の背面側に移動することができず、内枠１０４に固定されているのと等価の状態になっている。次いで、折曲部４０２で折畳部材４０が折り曲げられながら取付部４０１が可動部４０３に近付いていく。その後、最終的に扉１０６が閉状態になると、取付部４０１と可動部４０３は対面し、折畳部材４０は扉１０６と内枠１０４との間で折り畳まれた状態で保持される。
【００５３】
ハーネス５０の撓み部５０１の両端は、第一固定部４１０および第二固定部４３０に固定されている。撓み部５０１のコネクタＣＮ１，ＣＮ２側の端部は第一固定部４１０に固定され、撓み部５０１のコネクタＣＮ３，ＣＮ４側の端部は第二固定部４３０に固定されている。扉１０６が開状態から閉状態に移行する過程において、撓み部５０１の両端は、第一固定部４１０および第二固定部４３０に対してずれることがなく、撓み部５０１は一定の長さを維持したまま拡縮する。撓み部５０２は、扉１０６が開状態であると、撓み部５０２の両端が互いに離れて取付部４０１および可動部４０３に概ね沿った拡張状態（すなわち伸長状態）となる。一方、撓み部５０２は、扉１０６が閉状態であると、ハーネス５０の両端が互いに近付いて取付部４０１および可動部４０３から垂れ下がったような形状の収縮状態（すなわち２つ折りの状態）となる。撓み部５０２は、撓みの程度が変わるだけで、拡張状態および収縮状態のいずれの状態であっても撓んだ状態を維持する。撓み部５０１は、一定の長さを維持したまま拡縮するので、扉１０６の開閉動作を繰り返しても、一定の屈曲状態を維持することができる。このため、ハーネス５０は、扉１０６と内枠１０４との境界部（ヒンジ部）において断線および垂れ下がりを防止できる。その結果、遊技機１００は、扉１０６と内枠１０４との境界部（ヒンジ部）におけるハーネス５０の挟み込みを防止できる。
【００５４】
次に、ハーネスユニット１の概略構成について図４を参照しつつ図５を用いて説明する。図５（ａ）はハーネスユニット１の全体図であり、図５（ｂ）はハーネスユニット１の折畳部材４０の近傍の拡大図である。なお、図５には、拡張状態の撓み部５０１が図示されている。
【００５５】
図５（ａ）に示すように、ハーネスユニット１では、ケーブルＣＢ１，ＣＢ２は、結束バンド６１，６２に加えて、コネクタＣＮ１，ＣＮ２側のフレキシブルスリットチューブ５１０の一端近傍で結束バンド６３によって固定され、コネクタＣＮ３，ＣＮ４側のフレキシブルスリットチューブ５１０の他端近傍で結束バンド６４によって固定されている。これにより、ハーネス５０は、フレキシブルスリットチューブ５１０の一端からコネクタＣＮ１までのケーブルＣＢ１の長さと、フレキシブルスリットチューブ５１０の他端からコネクタＣＮ３までの長さとが固定される。同様に、ハーネス５０は、フレキシブルスリットチューブ５１０の一端からコネクタＣＮ２までケーブルＣＢ２の長さと、フレキシブルスリットチューブ５１０の他端からコネクタＣＮ４までの長さとが固定される。
【００５６】
ハーネスユニット１は、折畳部材４０に対してハーネス５０がずれることだけでなく、フレキシブルスリットチューブ５１０に対してケーブルＣＢ１，ＣＢ２がずれてしまうのが防止されるようになっている。このため、ハーネスユニット１を遊技機１００に取り付ける作業を行う作業者は、取付部４０１を扉１０６にねじ止めし、ケーブルＣＢ１，ＣＢ２の各端部をコネクタＣＮ１〜ＣＮ４に差し込むだけでハーネスユニット１の取り付け作業を完了することができる。作業者は、この取り付け作業において、折畳部材４０に対するハーネス５０の位置やフレキシブルスリットチューブ５１０に対するケーブルＣＢ１，ＣＢ２の位置を微調整する必要がない。このため、遊技機１００は、ハーネスユニット１の取り付け作業を簡略化できる。
【００５７】
ハーネスユニット１は、撓み部５０１だけでなく、結束バンド６１と結束バンド６３との間および結束バンド６２と結束バンド６４との間におけるそれぞれのハーネス５０の撓みの状態も一定にできる。これにより、ハーネスユニット１は、扉１０６が開状態から閉状態に移行される際に、ハーネス５０の撓み部５０１以外の領域が扉１０６と内枠１０４との境界部（ヒンジ部）に挟み込まれることを防止できる。
【００５８】
図５（ｂ）に示すように、折曲部４０２は回転構造を有している。折曲部４０２は、取付部４０１に接続された軸部４２１（図５（ｂ）では不図示、図６参照）と、可動部４０３に接続され軸部４２１に回転可能に支持された筒状部４２２とを有している。可動部４０３は、筒状部４２２が軸部４２１を回転軸として回転する回転動作（折曲部４０２の折り曲げ動作の一例）に応じて取付部４０１に対して可動（すなわち回転）できる。このように、折曲部４０２は、可動部４０３を取付部４０１に対して軸支するように構成されている。また、筒状部４２２は、内枠１０４に対する扉１０６の回転動作に応じて軸部４２１を回転軸として回転できるように構成されている。
【００５９】
取付部４０１は、結束バンド６１が取り付けられる第一固定部４１０と、ねじＳ１，Ｓ２が挿通される貫通孔Ｈ４１，Ｈ４２を有している。ハーネス５０は、貫通孔Ｈ４１，Ｈ４２を塞がないように、貫通孔Ｈ４１，Ｈ４２の前面を避けた位置において結束バンド６１によって取付部４０１に固定されている。
【００６０】
可動部４０３は、筒状部４２２が接続されていない側の端部に、結束バンド６２が取り付けられる第二固定部４３０を有している。ハーネス５０は、可動部４０３の端部の一部に重なるようにして結束バンド６２によって可動部４０３に固定されている。
【００６１】
図５（ｂ）に示すように、撓み部５０１は、可動部４０３が取付部４０１に対して最も広げられた状態における第一固定部４１０および第二固定部４３０の距離よりも長くなっている。このため、撓み部５０１は、取付部４０１に対する可動部４０３の折り曲げ角度によらず常に撓んだ状態が維持される。これにより、ハーネス５０は、扉１０６を開状態としたときに、扉１０６と内枠１０４との間で直線状に突っ張ることがないので、遊技機１００は、ハーネス５０の断線防止の向上を図ることができる。
【００６２】
（取付部の概略構成）
次に、取付部４０１の概略構成について図４および図５を参照しつつ図６を用いて説明する。図６（ａ）は取付部４０１の正面図であり、図６（ｂ）は取付部４０１の右側側面図であり、図６（ｃ）は取付部４０１の背面図であり、図６（ｄ）は取付部４０１の左側面図であり、図６（ｅ）は取付部４０１の平面図であり、図６（ｆ）は取付部４０１の底面図であり、図６（ｇ）は前方右斜め上方から見た取付部４０１の斜視図であり、図６（ｈ）は後方左斜め上方から見た取付部４０１の斜視図である。
【００６３】
図６（ａ）、図６（ｇ）および図６（ｈ）に示すように、取付部４０１は、周壁部とこの周壁部の高さ方向（正面側から底面側に向かう方向）のほぼ中央に設けられた板状部とで構成された本体部４１１を有している。本体部４１１の板状部には、貫通孔Ｈ４１および貫通孔Ｈ４２が並んで形成されている。貫通孔Ｈ４１は取付部４０１を扉１０６に取り付ける際にねじＳ１（図４参照）が挿入される挿入口として用いられ、貫通孔Ｈ４２は取付部４０１を扉１０６に取り付ける際にねじＳ２（図４参照）が挿入される挿入口として用いられる。
【００６４】
取付部４０１は、本体部４１１の周壁部のうち底面側に配置される周壁部に形成された第一固定部４１０を有している。図６（ａ）および図６（ｆ）から図６（ｈ）に示すように、第一固定部４１０は、紐状部材としての結束バンド６１（図４および図５参照）が配置でき、かつ底面側に凹んだ凹状に形成されている。第一固定部４１０には、この凹状部分において本体部４１１の板状部および周壁部の間に正面側から背面側に向かって開口された貫通孔Ｈ４５が形成されている。貫通孔Ｈ４５は、結束バンド６１のヘッド部以外が挿入できる大きさを有している。
【００６５】
第一固定部４１０にハーネス５０（図６では不図示）を固定する場合、結束バンド６１のテール部が正面側から貫通孔Ｈ４５に挿入される。結束バンド６１のヘッド部は、貫通孔Ｈ４５の開口面積よりも大きいため、貫通孔Ｈ４５を通過せずに貫通孔Ｈ４５の正面側に引っ掛かる。貫通孔Ｈ４５に挿入された結束バンド６１のテール部が、取付部４０１の底面側に配置されたハーネス５０を巻き込みながら背面側から正面側に回り込まされ、貫通孔Ｈ４５に引っ掛かっているヘッド部にテール部が挿入され、結束バンド６１の所定箇所がヘッド部に固定される。これにより、取付部４０１は、本体部４１１の第一固定部４１０が形成された周壁部の外表面に接触した状態でハーネス５０を第一固定部４１０に固定することができる。このように、取付部４０１は、本体部４１１の背面側に形成された貫通孔Ｈ４１，Ｈ４２をハーネス５０で塞がずに第一固定部４１０に固定できる。
【００６６】
図６（ａ）から図６（ｃ）、図６（ｅ）、図６（ｇ）および図６（ｈ）に示すように、取付部４０１は、右側面側の背面寄りに本体部４１１から右側面側に張り出して形成された矩形板状部４１２と、右側面側の底面寄りに矩形板状部４１２から正面側に張り出して形成された半円形状部４１３とを有している。
【００６７】
矩形板状部４１２の前方であって半円形状部４１３上には、折曲部４０２（図５参照）を構成する軸部４２１が形成されている。軸部４２１は円筒形状を有している。本体部４１１、矩形板状部４１２、半円形状部４１３および軸部４２１は一体に形成されている。軸部４２１の内壁面には、取付部４０１に可動部４０３を取り付けるためのねじＳ３（図６では不図示、図８参照）を固定するために、ねじが切られている。
【００６８】
詳細は後述するが、本体部４１１が開放された開放側端面４１１ａおよび矩形板状部４１２は、可動部４０３の回転範囲を規制する規制部として機能するようになっている。
【００６９】
（可動部の構成）
次に、可動部４０３の概略構成について図４から図６を参照しつつ図７を用いて説明する。図７（ａ）は可動部４０３の正面図であり、図７（ｂ）は可動部４０３の右側側面図であり、図７（ｃ）は可動部４０３の背面図であり、図７（ｄ）は可動部４０３の左側面図であり、図７（ｅ）は可動部４０３の平面図であり、図７（ｆ）は可動部４０３の底面図であり、図７（ｇ）は前方右斜め上方から見た可動部４０３の斜視図であり、図６（ｈ）は後方左斜め上方から見た可動部４０３の斜視図である。
【００７０】
図７に示すように、可動部４０３は、先端に第二固定部４３０が形成された本体部４３１を有している。本体部４３１は、枠状に形成された枠状部４３１ａと、枠状部４３１ａから引き出されて屈曲して形成された屈曲部４３１ｂと、屈曲部４３１ｂから引き出されて平板状に形成された平板部４３１ｃとを有している。
【００７１】
枠状部４３１ａは中空の四角柱形状を有している。枠状部４３１ａの１つの面は、枠状部４３１ａの中心側に向かう凸状の円弧状に形成された円弧状面である。屈曲部４３１ｂは、枠状部４３１ａの円弧状面とこの円弧状面に対向する対向面とに挟まれた一方の面が対向面側に引き伸ばされて所定位置で屈曲した薄板形状を有している。平板部４３１ｃは、枠状部４３１ａから遠ざかる方向に屈曲部４３１ｂから引き伸ばされて延伸方向の断面が直線状の薄板形状を有している。平板部４３１ｃは、枠状部４３１ａの円弧状面と対向面とに挟まれた他方の面とほぼ平行となるように形成されている。この他方の面は、可動部４０３の回転範囲を規制する規制面４３１ｄ（詳細は後述する）である。
【００７２】
図７（ｅ）から図７（ｈ）に示すように、軸部４２１（図６参照）とともに折曲部４０２（図４および図５参照）を構成する筒状部４２２が枠状部４３１ａの円弧状面に接続されて形成されている。筒状部４２２と本体部４３１は一体に形成されている。筒状部４２２は円筒状を有している。筒状部４２２の内径は、軸部４２１の外径よりも一回り大きく形成されている。これにより、軸部４２１は、筒状部４２２の内周側の空間に挿入されることができるようになっている。筒状部４２２は、軸部４２１を回転軸として回転可能に軸部４２１に支持される。これにより、折曲部４０２は、取付部４０１に対して可動部４０３を回転させることによって折畳部材４０を折り曲げたり伸ばしたりすることができる。
【００７３】
図７（ａ）、図７（ｃ）、図７（ｇ）および図７（ｈ）に示すように、第二固定部４３０は、平板部４３１ｃの端部に形成されている。第二固定部４３０は、平板部４３１ｃを開口して形成された貫通孔Ｈ４３および貫通孔Ｈ４４を有している。貫通孔Ｈ４３および貫通孔Ｈ４４は、長穴形状をそれぞれ有し、長辺側を隣り合わせて並んで配置されている。貫通孔Ｈ４３，Ｈ４４は、長手方向が本体部４３１の延在する方向に沿うように配置されている。貫通孔Ｈ４３および貫通孔Ｈ４４は、紐状部材としての結束バンド６２（図４および図５参照）のヘッド部以外が挿入できる大きさを有している。
【００７４】
第二固定部４３０にハーネス５０（図６では不図示）を固定する場合、結束バンド６２のテール部が正面側から貫通孔Ｈ４３に挿入される。貫通孔Ｈ４３に挿入された結束バンド６２のテール部は、背面側から貫通孔Ｈ４４に挿入され正面側に引き出される。結束バンド６２のヘッド部は、貫通孔Ｈ４３の開口面積よりも大きいため、貫通孔Ｈ４３を通過せずに貫通孔Ｈ４３の正面側に引っ掛かる。貫通孔Ｈ４４から引き出された結束バンド６２は、可動部４０３の正面側の底面寄りに配置されたハーネス５０が巻き込みながら貫通孔Ｈ４３に引っ掛かっているヘッド部にテール部が挿入され、結束バンド６２の所定箇所がヘッド部に固定される。これにより、可動部４０３は、本体部４３１の第二固定部４３０が形成された平板部４３１ｃに接触した状態でハーネス５０を第二固定部４３０に固定することができる。このように、可動部４０３は、本体部４３１の正面側の一部に重ねた状態でハーネス５０を第二固定部４３０に固定できる。
【００７５】
（折畳部材の概略構成）
次に、折畳部材４０の概略構成について図４から図７を参照しつつ図８および図９を用いて説明する。図８（ａ）および図９（ａ）は折畳部材４０の正面図であり、図８（ｂ）および図９（ｂ）は折畳部材４０の右側側面図であり、図８（ｃ）および図９（ｃ）は折畳部材４０の左側面図であり、図８（ｄ）および図９（ｄ）は折畳部材４０の平面図であり、図８（ｅ）および図９（ｅ）は折畳部材４０の底面図であり、図８（ｆ）および図９（ｆ）は前方右斜め上方から見た折畳部材４０の斜視図である。
【００７６】
図８および図９に示すように、可動部４０３は、軸部４２１（図６参照）に回転可能に支持されている。可動部４０３は、軸部４２１に固定されたねじＳ３によって取付部４０１から外れないようになっている。図８に示すように、折畳部材４０は、取付部４０１に対して可動部４０３が開いた状態となることができる。取付部４０１に対して可動部４０３が開いた状態は、折畳部材４０が伸びた状態である。また、図８（ｄ）および図８（ｅ）に示すように、取付部４０１に対して可動部４０３が開いた状態となると、取付部４０１の本体部４１１の開放側端面４１１ａと、可動部４０３の本体部４３１の枠状部４３１ａの一方の面（屈曲部４３１ｂと連続する面）とがほぼ平行に配置される。
【００７７】
図８（ｄ）および図８（ｆ）に示すように、折曲部４０２の筒状部４２２の背面側には、取付部４０１の矩形板状部４１２が配置されている。このため、可動部４０３が折畳部材４０の右側面側から背面側に回転すると、枠状部４３１ａは矩形板状部４１２に接触する。これにより、可動部４０３は、枠状部４３１ａが矩形板状部４１２に接触した状態以上に、折畳部材４０の右側面側から背面側に回転することはできない。このように、矩形板状部４１２は、可動部４０３の回転範囲を規制する規制部としての機能を発揮するようになっている。
【００７８】
図９に示すように、折畳部材４０は、可動部４０３を折畳部材４０の正面側から背面側に向かって回転させることにより、取付部４０１と可動部４０３とが対面した折畳状態となることができる。図９（ｄ）から図９（ｆ）に示すように、折畳部材４０が折畳状態となると、取付部４０１に設けられた本体部４１１の開放側端面４１１ａと、可動部４０３に設けられた本体部４３１の平板部４３１ｃとはほぼ平行に配置される。折畳部材４０が折畳状態になるときは、扉１０６（図４参照）が閉状態となるときである。本体部４１１の開放側端面４１１ａは、取付部４０１が取り付けられる扉１０６の取付面にほぼ平行である。この取付面は、扉１０６が閉状態のときに、扉１０６と対向する内枠１０４の対向面とほぼ平行に配置される。このため、扉１０６が閉状態のときに、本体部４１１の開放側端面４１１ａは、扉１０６と対向する内枠１０４の対向面とほぼ平行に配置される。
【００７９】
したがって、本体部４１１の開放側端面４１１ａとほぼ平行に配置された本体部４３１の平板部４３１ｃは、折畳部材４０が折畳状態のときに、扉１０６と内枠１０４とが互いに対向する対向面にほぼ平行に配置される。その結果、扉１０６が閉状態のときに、可動部４０３は、扉１０６と内枠１０４との間隙に存在し、扉１０６および内枠１０４に接触しないので、扉１０６および内枠１０４から外力を受けて破損することはない。可動部４０３は、本体部４３１に屈曲部４３１ｂを有している。このため、可動部４０３は、取付部４０１に軸支されている軸支側の端部（すなわち枠状部４３１ａ）とは反対側の端部（すなわち平板部４３１ｃ）が内枠１０４と対峙可能となるように、当該軸支側の端部と当該反対側の端部との間の一部の領域（すなわち屈曲部４３１ｂ）が折曲部４０２の折り曲げ方向（すなわち扉１０６を開状態から閉状態に移行させる際に可動部４０３が回転する方向）に向かって屈曲している。これにより、可動部４０３は、折畳部材４０が折畳状態のときに本体部４１１の開放側端面４１１ａに対して平板部４３１ｃをほぼ平行な状態に維持できる。これにより、折畳部材４０は、可動部４０３の破損を防止できる。
【００８０】
図９（ｄ）、図９（ｅ）および図９（ｆ）に示すように、折畳部材４０が折畳状態にあると、取付部４０１に設けられた本体部４１１の開放側端面４１１ａの一部と、可動部４０３に設けられた本体部４３１の規制面４３１ｄの一部とが対面した状態で接触する。これにより、可動部４０３は、規制面４３１ｄの一部が開放側端面４１１ａの一部に接触した状態以上に、取付部４０１側に回転することはできない。このように、規制面４３１ｄは、可動部４０３の回転範囲を規制する規制部としての機能を発揮するようになっている。
【００８１】
以上説明したように、本実施形態による遊技機１００は、内枠１０４に対して回転可能な扉１０６に取り付けられる取付部４０１、取付部４０１に回転可能に設けられ内枠１０４と対峙可能となる可動部４０３、および扉１０６の回転動作に応じて折り曲げ可能に可動部４０３を取付部４０１に軸支する折曲部４０２を有する折畳部材４０と、扉１０６に接続される一端、内枠１０４に接続される他端、および当該一端と当該他端との間に設けられ取付部４０１および可動部４０３に固定されて折曲部４０２の折り曲げ動作に応じて撓みの大きさが拡縮される撓み部５０１を有するハーネス５０とを備えている。
【００８２】
このような構成を備えた遊技機１００によれば、撓み部５０１が一定の長さを維持できるので、扉１０６の開閉動作が繰り返されても、撓み部５０１は一定の屈曲状態を維持することができる。このため、遊技機１００は、ハーネス５０が扉１０６と内枠１０４との境界部（ヒンジ部）において断線および垂れ下がりを防止できる。その結果、遊技機１００は、扉１０６と内枠１０４との境界部（ヒンジ部）におけるハーネス５０の挟み込みを防止できるので、ハーネスの断線防止の向上を図ることができる。
【００８３】
本発明は、上記実施形態に限らず種々の変形が可能である。
上記実施形態では、遊技機としてパチンコ機を例にとって説明したが、本発明はこれに限られない。例えば、本発明は、遊技機としてのスロットマシンの扉と枠部材との間に設けられるハーネスにも適用でき、上記実施形態による遊技機１００と同様の効果が得られる。
【００８４】
上記実施形態では、折畳部材４０は、回転機構の折曲部４０２を有しているが、本発明はこれに限られない。折畳部材４０は、例えば可撓性を有する部材の弾性力を用いて折り曲げられる折曲部を有していても、上記実施形態による遊技機１００と同様の効果が得られる。
【００８５】
本発明の技術的範囲は、図示され記載された例示的な実施形態に限定されるものではなく、本発明が目的とするものと均等な効果をもたらす全ての実施形態をも含む。さらに、本発明の技術的範囲は、請求項により画される発明の特徴の組み合わせに限定されるものではなく、全ての開示されたそれぞれの特徴のうち特定の特徴のあらゆる所望する組み合わせによって画されうる。
【符号の説明】
【００８６】
１  ハーネスユニット
４０  折畳部材
５０  ハーネス
６１，６２，６３，６４  結束バンド
１００  遊技機
１０４  内枠
１０６  扉
４０１  取付部
４０２  折曲部
４０３  可動部
４１０  第一固定部
４１１，４３１  本体部
４１１ａ  開放側端面
４１２  矩形板状部
４１３  半円形状部
４２１  軸部
４２２  筒状部
４３０  第二固定部
４３１ａ  枠状部
４３１ｂ  屈曲部
４３１ｃ  平板部
４３１ｄ  規制面
５０１  撓み部
５１０  フレキシブルスリットチューブ
ＣＢ１，ＣＢ２  ケーブル
ＣＮ１，ＣＮ２，ＣＮ３，ＣＮ４  コネクタ
Ｈ４１，Ｈ４２，Ｈ４３，Ｈ４４，Ｈ４５  貫通孔
Ｓ１，Ｓ２，Ｓ３  ねじ
【図１】
2018042731.tif 000003
【図２】
2018042731.tif 000004
【図３】
2018042731.tif 000005
【図４】
2018042731.tif 000006
【図５】
2018042731.tif 000007
【図６】
2018042731.tif 000008
【図７】
2018042731.tif 000009
【図８】
2018042731.tif 000010
【図９】
2018042731.tif 000011